(57)【要約】【課題】速乾性と低温造膜性がともに優れた速乾型水性被覆剤を提供すること。【解決手段】カルボキシル基含有ビニル系重合体（Ａ）を揮発性塩基性化合物で中和して得られる中和カルボキシル基含有ビニル系重合体（Ａ′）の水性分散体、好ましくはカルボキシル基含有ビニル系単量体（ａ−１）を含有するビニル系単量体（ａ）を水性媒体中で乳化重合してなるカルボキシル基含有ビニル系重合体（Ａ−１）の水性分散体を、揮発性塩基性化合物で中和して得られる水性分散体の存在下で、ビニル系単量体（ｂ）を重合してビニル系重合体（Ｂ）とすることにより得られる、中和カルボキシル基含有ビニル系重合体（Ａ′）とビニル系重合体（Ｂ）から構成される複合重合体粒子（Ｃ）の水分散体と、アミノ基を含有する有機化合物（Ｄ）を含有する速乾型水性被覆剤。【選択図】なし【特許請求の範囲】
【請求項１】
カルボキシル基含有ビニル系重合体（Ａ）を揮発性塩基性化合物で中和して得られる中和カルボキシル基含有ビニル系重合体（Ａ′）の水性分散体の存在下で、ビニル系単量体（ｂ）を重合してビニル系重合体（Ｂ）とすることにより得られる、中和カルボキシル基含有ビニル系重合体（Ａ′）とビニル系重合体（Ｂ）から構成される複合重合体粒子（Ｃ）の水分散体と、アミノ基を含有する有機化合物（Ｄ）を含有することを特徴とする速乾型水性被覆剤。
【請求項２】
カルボキシル基含有ビニル系重合体（Ａ）のガラス転移温度が０〜４５℃で、且つ、ビニル系重合体（Ｂ）のガラス転移温度が２０〜７０℃である請求項１に記載の速乾型水性被覆剤。
【請求項３】
カルボキシル基含有ビニル系重合体（Ａ）とビニル系重合体（Ｂ）の重量比（Ａ／Ｂ）が２０／８０〜８０／２０である請求項１に記載の速乾型水性被覆剤。
【請求項４】
中和カルボキシル基含有ビニル系重合体（Ａ′）の水性分散体が、カルボキシル基含有ビニル系単量体（ａ−１）を含有するビニル系単量体（ａ）を水性媒体中で乳化重合してなるカルボキシル基含有ビニル系重合体（Ａ−１）の水性分散体を、揮発性塩基性化合物で中和して得られる水性分散体である請求項１、２または３に記載の速乾型水性被覆剤。
【請求項５】
ビニル系単量体（ａ）が、カルボキシル基含有ビニル系単量体（ａ−１）１〜３０重量％とその他のビニル系単量体（ａ−２）９９〜７０重量％からなるものである請求項４に記載の速乾型水性被覆剤。
【請求項６】
アミノ基を含有する有機化合物（Ｄ）が、アルコール性水酸基を含有しないものである請求項１に記載の速乾型水性被覆剤。
【請求項７】
ビニル系単量体（ｂ）が、カルボキシル基と反応性を有する官能基を有するビニル系単量体（ｂ−１）を含有するビニル系単量体である請求項１に記載の速乾性水性被覆剤。
【請求項８】
さらに、顔料（Ｅ）を含有する請求項１〜７のいずれか１項に記載の速乾型水性被覆剤。
【請求項９】
水性路面標示用塗料である請求項１〜８のいずれか１項に記載の速乾型水性被覆剤。
【発明の詳細な説明】
【技術分野】
【０００１】
本発明は、速乾性を有し、且つ低温造膜性も良好な水性被覆剤に関するものである。
【背景技術】
【０００２】
近年、地球環境保護、労働衛生上の観点より各種被覆剤において溶剤系から水系への移行が進められており、速乾型水性被覆剤が開発されている。
【０００３】
従来の速乾型水性被覆剤では、陰イオン的に安定化された乳化重合体、水溶性又は水分散性の多官能性アミン重合体、及びアンモニア、モルフォリン等の揮発性塩基を組み合わせることにより、速乾化している（例えば、特許文献１参照。）。また、多官能性アミン重合体の代わりに、重合体ではない多官能性アミン化合物を利用する場合は貯蔵安定性と速乾性に優れた被覆剤が得られる（例えば、特許文献２参照。）。
【０００４】
しかしながら、これら特許文献１や特許文献２に記載されている従来の速乾型水性被覆剤では、低温造膜性が十分ではなく、市場においては、寒冷地でも問題なく塗装できるように、速乾性と低温造膜性が共に優れた速乾型水性被覆剤が強く望まれている。
【０００５】
【特許文献１】特開平３−１５７４６３号公報
【特許文献２】特開２００４−８３７８２号公報
【発明の開示】
【発明が解決しようとする課題】
【０００６】
本発明が解決しようとする課題は、速乾性と低温造膜性がともに優れた速乾型水性被覆剤を提供することにある。
【課題を解決するための手段】
【０００７】
本発明者らが鋭意検討を行った結果、カルボキシル基含有ビニル系重合体（Ａ）を揮発性塩基性化合物で中和して得られる中和カルボキシル基含有ビニル系重合体（Ａ′）の水性分散体の存在下で、ビニル系単量体（ｂ）を重合してビニル系重合体（Ｂ）とすることにより得られる、中和カルボキシル基含有ビニル系重合体（Ａ′）とビニル系重合体（Ｂ）から構成される複合重合体粒子（Ｃ）の水性分散体は、そのまま水性被覆剤として用いたのでは、速乾性が不十分であるが、アミノ基を含有する有機化合物（Ｄ）と組み合わせてなる水性被覆剤は、速乾性が高く、且つ低温造膜性に優れることを見出し、本発明を完成させるに至った。
【０００８】
即ち、本発明は、カルボキシル基含有ビニル系重合体（Ａ）を揮発性塩基性化合物で中和して得られる中和カルボキシル基含有ビニル系重合体（Ａ′）の水性分散体の存在下で、ビニル系単量体（ｂ）を重合してビニル系重合体（Ｂ）とすることにより得られる、中和カルボキシル基含有ビニル系重合体（Ａ′）とビニル系重合体（Ｂ）から構成される複合重合体粒子（Ｃ）の水性分散体と、アミノ基を含有する有機化合物（Ｄ）を含有することを特徴とする速乾型水性被覆剤を提供するものである。
【発明の効果】
【０００９】
本発明の速乾型水性被覆剤は、速乾性と低温造膜性がともに優れ、例えば、各種建築用塗料、路面標示用塗料として特に好適である。
【発明を実施するための最良の形態】
【００１０】
以下、本発明の詳細について述べる。
本発明で用いる中和カルボキシル基含有ビニル系重合体（Ａ′）の水性分散体は、カルボキシル基含有ビニル系重合体（Ａ）中のカルボキシル基を揮発性塩基性化合物で中和してなるビニル系重合体が水性媒体中に分散されている分散体であればよく、各種手法を採用することにより得ることができるが、特にカルボキシル基含有ビニル系単量体（ａ−１）を含有するビニル系単量体（ａ）を水性媒体中で乳化重合させてなるカルボキシル基含有ビニル系重合体（Ａ−１）の水性分散体を、揮発性塩基性化合物で中和する方法で得られた水性分散体が好適である。前記ビニル系単量体（ａ）の乳化重合方法としては、例えば、ビニル系単量体（ａ）を乳化剤の存在下、水性媒体中でラジカル開始剤を用いて共重合させる方法が挙げられる。
【００１１】
ここで用いるビニル系単量体（ａ）としては、カルボキシル基含有ビニル系単量体（ａ−１）を含有するビニル系単量体であればよく、特に限定されないが貯蔵安定性が良好で、耐水性に優れる塗膜を形成できる水性被覆剤がえられることから、カルボキシル基含有ビニル系単量体（ａ−１）１〜３０重量％とその他のビニル系単量体（ａ−２）９９〜７０重量％からなるものが好ましく、カルボキシル基含有ビニル系単量体（ａ−１）２．５〜２０重量％とその他のビニル系単量体（ａ−２）９７．５〜８０重量％からなるものがより好ましい。
【００１２】
前記カルボキシル基含有ビニル系単量体（ａ−１）としては、特に制約はなく、例えば、アクリル酸、メタクリル酸、イタコン酸、マレイン酸、フマル酸、クロトン酸、イタコン酸ハーフエステル、マレイン酸ハーフエステル、無水マレイン酸、無水イタコン酸、２−メタクリロイルプロピオン酸等が挙げられる。これらは複数種を併用して用いることも可能である。また、この中でもアクリル酸、メタクリル酸、イタコン酸の中の一つまたは複数種を用いることが好ましい。
【００１３】
前記その他のビニル系単量体（ａ−２）としては、前記カルボキシル基含有ビニル系単量体（ａ−１）以外のビニル系単量体であって、カルボキシル基含有ビニル系単量体（ａ−１）とラジカル共重合可能な単量体であればよく、その具体例を挙げると、アクリル酸メチル、アクリル酸エチル、アクリル酸ブチル、アクリル酸−２−エチルヘキシル、アクリル酸シクロヘキシル等のアクリル酸エステル類；メタクリル酸メチル、メタクリル酸エチル、メタクリル酸ｎ−ブチル、メタクリル酸ｉ−ブチル、メタクリル酸ｔ−ブチル、メタクリル酸２−エチルヘキシル、メタクリル酸シクロヘキシル等のメタクリル酸エステル類；
【００１４】
マレイン酸、フマル酸、イタコン酸の各エステル類；酢酸ビニル、プロピオン酸ビニル、第３級カルボン酸ビニル等のビニルエステル類；スチレン、ビニルトルエン等の芳香族ビニル化合物；ビニルピロリドン等の複素環式ビニル化合物；塩化ビニル、アクリロニトリル、ビニルエーテル、ビニルケトン、ビニルアミド；塩化ビニリデン、フッ化ビニリデン等のハロゲン化ビニリデン化合物；エチレン、プロピレン等のα−オレフィン類；ブタジエン等のジエン類；アクリルアミド、メタクリルアミド、マレイン酸アミド等のα，β−エチレン性不飽和酸のアミド類；
【００１５】
グリシジルメタクリレート、アリルグリシジルエーテル等のグリシジル基含有単量体；２−ヒドロキシルエチルメタクリレート、２−ヒドロキシルエチルアクリレート等の水酸基含有単量体；ジメチルアミノエチルメタクリレート等のアミノ基含有単量体；Ｎ−メチロールアクリルアミド、Ｎ−メチロールメタクリルアミド、ジアセトンアクリルアミドなどの不飽和カルボン酸の置換アミド；
【００１６】
γ−メタクリロキシプロピルトリメトキシシラン、ビニルトリメトキシシラン、ビニルトリエトキシシラン、γ−メタクリロキシプロピルトリエトキシシラン等の不飽和結合含有シラン化合物；ジアリルフタレート、ジビニルベンゼン、アリルアクリレート、トリメチロールプロパントリメタクリレート、エチレングリコールジメタクリレート、ジエチレングリコールジメタクリレート等の１分子中に複数個の不飽和基を持った単量体等が挙げられる。これらは、それぞれ単独で用いることができるし、複数種を併用することもできる。
【００１７】
前記その他のビニル系単量体（ａ−２）の中でも、アクリル酸エステルおよび／またはメタクリル酸エステルを必須成分として用いることが好ましい。
【００１８】
前記ビニル系単量体（ａ）を乳化剤の存在下で乳化重合する場合に用いる乳化剤としては、特に制約はなく、各種の乳化剤が使用できるが、その一例を挙げると、アルキルベンゼンスルホン酸塩類、アルキレンジスルホン酸塩類、アルキルジフェニルエーテルジスルホン酸塩類、アルキル硫酸エステル塩類、ポリオキシエチレンアルキルフェニルスルホン酸塩類、ポリオキシエチレンアルキルフェニルエーテル硫酸エステル塩類、ポリオキシエチレンアルキルエーテル硫酸エステル塩類、ポリオキシエチレン多環フェニルエーテル硫酸エステル塩類、ジアルキルサクシネートスルホン酸塩類、モノアルキルサクシネートスルホン酸塩類、ナフタレンスルホン酸ホルマリン縮合物の塩類、等のスルホン酸または硫酸エステル骨格を含有するアニオン乳化剤；
【００１９】
脂肪酸ナトリウム、脂肪酸カリウム等の脂肪酸塩類、ポリオキシエチレンアルキルエーテル酢酸塩、ポリカルボン酸系界面活性剤、アルキル化コハク酸またはその塩等のカルボキシル基またはその塩を骨格中に有するアニオン系乳化剤；ポリオキシエチレンアルキルエーテルリン酸塩、ポリオキシエチレンアルキルフェニルエーテルリン酸塩、アルキルリン酸塩等のリン酸基またはその塩を骨格中に有するアニオン系乳化剤；
【００２０】
ポリオキシエチレンアルキルエーテル、ポリオキシエチレンアルキルフェニルエーテル、ポリオキシアルキレンアルキルフェニルエーテル、ポリオキシアルキレンアルキルエーテル、ポリオキシアルキレングリコール、ポリオキシエチレンアルケート、ソルビタンアルケート、ポリオキシエチレンソルビタンアルケート、ポリオキシエチレン多環フェニルエーテル、ポリオキシアルキレンアルキルフェニルエーテル、ポリオキシエチレン−ポリオキシプロピレンブロック共重合体等のノニオン乳化剤等が挙げられる。これら乳化剤は、それぞれ単独で用いることができるし、複数種を併用することも可能である。
【００２１】
さらに、前記乳化剤としては、例えば、ビニルスルホン酸塩類、（メタ）アクリロイロキシポリオキシエチレン硫酸エステル塩類、（メタ）アクリロイロキシポリオキシエチレンスルホン酸塩類、ポリオキシエチレンアルケニルフェニルスルホン酸塩類、ポリオキシエチレンアルケニルフェニルエーテル硫酸エステル塩類、ナトリウムアリルアルキルスルホサクシネート、（メタ）アクリロイロキシポリオキシプロピレンスルホン酸塩類等のアニオン系反応性乳化剤、ポリオキシエチレンアルケニルフェニルエーテル、ポリオキシエチレンメタクリロイルエーテル等のノニオン系反応性乳化剤などの反応性乳化剤も用いることができる。これらの反応性乳化剤は、それぞれ単独で用いることができるし、複数種用いることも可能である。なお、これら乳化剤としては、環境保護、労働衛生上の観点よりアルキルフェノール骨格を持たない乳化剤を使用することが好ましい。
【００２２】
これら乳化剤のなかでも、速乾性をより向上させることができることから、親水性成分としてカルボキシル基またはその塩を含有する乳化剤を必須成分として用いることが好ましく、更にはカルボキシル基含有乳化剤を他のアニオン乳化剤、ノニオン乳化剤と併用することがより好ましい。
【００２３】
また、前記ビニル系単量体（ａ）の乳化重合方法としては、乳化剤を用いずに、代わりに中和されたカルボキシル基を有する重合体を溶解または分散させた水性媒体中で、前記ビニル系単量体（ａ）を乳化重合する方法、即ちソープフリー重合法を採用することもできる。前記ビニル系単量体（ａ）の乳化重合方法としては、勿論、これらの方法に限定されるものではなく、前記ビニル系単量体（ａ）を乳化重合することが可能であれば、如何なる方法をも採用することができる。
【００２４】
前記ビニル系単量体（ａ）を乳化重合する場合に用いることができるラジカル重合開始剤としては、例えば、過硫酸カリウム、過硫酸アンモニウム、過硫酸ナトリウム等の過硫酸塩類、アゾビスイソブチロニトリルおよびその塩酸塩、２，２'−アゾビス（２−アミジノプロパン）二塩酸塩、４，４'−アゾビス（４−シアノ吉草酸）等のアゾ系開始剤、過酸化水素、ターシャリーブチルハイドロパーオキサイド、クメンハイドロパーオキサイド等の過酸化物系開始剤等が挙げられる。
【００２５】
これらラジカル重合開始剤の使用に際しては還元剤を併用することができ、併用可能な還元剤としては、例えば、ナトリウムスルホオキシレートホルムアルデヒド、ピロ亜硫酸ソーダ、Ｌ−アスコルビン酸、エリソルビン酸およびその塩等が挙げられる。また、メルカプタン類、アルコール系有機溶剤、脂肪族系有機溶剤、芳香族系有機溶剤等を分子量調整剤として併用することも可能である。
【００２６】
前記カルボキシル基含有ビニル系重合体（Ａ−１）の水性分散体は、各種の方法により製造することができるが、基本的には、カルボキシル基含有ビニル系単量体（ａ−１）を必須成分とし、さらに必要に応じてその他のビニル系単量体（ａ−２）を適宜選択して得られるビニル系単量体（ａ）を用い、乳化剤存在下、水性媒体中でラジカル重合開始剤を用いて乳化共重合させることにより製造することができる。その一例を挙げると、ビニル系単量体（ａ）１００重量部あたり、ラジカル重合開始剤０．０１〜１０重量部、好ましくは０．０５〜５重量部、水性媒体５０〜１０００重量部、好ましくは１００〜５００重量部使用して、乳化剤０．０５〜１０重量部、好ましくは０．１〜５重量部の存在下で、０〜１００℃、好ましくは２０〜９０℃で重合することにより得ることができる。
【００２７】
また、前記カルボキシル基含有ビニル系重合体（Ａ−１）の水性分散体は、前記ラジカル重合開始剤と共に、前記還元剤０．０１〜１０重量部、好ましくは０．０５〜５重量部を併用するレドックス重合にても製造することができる。この際、鉄イオンや銅イオン等の多価金属塩イオンを生成する化合物を促進剤として併用することも可能である。
【００２８】
なお、前記カルボキシル基含有ビニル系重合体（Ａ−１）の水性分散体を製造する際に、ラジカル重合開始剤として過硫酸塩類を用いる場合、速乾性に優れる水性被覆剤が得られることから、ビニル系単量体（ａ）１００重量部当たり、過硫酸塩類を０．０１〜５重量部の範囲で用いて重合することが好ましく、０．０１〜０．５重量部の範囲で用いて重合することがより好ましい。ただし、ここで言うラジカル重合開始剤の使用量は、実質的にビニル系単量体（ａ）を乳化重合するのに用いる量であり、例えば主反応終了後、少量残存しているビニル系単量体（ａ）を除去するために使用するラジカル重合開始剤は含まれない。
【００２９】
本発明で用いる中和カルボキシル基含有ビニル系重合体（Ａ′）の水性分散体は、例えば、カルボキシル基含有ビニル系重合体（Ａ−１）の水性分散体を製造した後、揮発性塩基性化合物でカルボキシル基含有ビニル系重合体（Ａ−１）中のカルボキシル基を中和して得られるものが挙げられる。この際に用いる前記揮発性塩基性化合物は、揮発性を有する塩基性化合物であればよく、特に限定されるものではない。揮発性塩基性化合物の中でも、アンモニアが好ましい。理由は定かではないが、アンモニアを用いることにより貯蔵安定性を良好なものとすることができる。揮発性塩基性化合物の使用量は、特に制限されないが、貯蔵安定性が良好で、臭気が少なく労働衛生上問題のない水性被覆剤が得られることから、最終的に水性被覆剤のＰＨが９．０〜１１．０の範囲に入るようにアンモニア、具体的にはアンモニア水を用いて調製することが好ましく、更には複合重合体粒子（Ｃ）を予めアンモニア水でＰＨが９．０以上になるよう添加し、更に水性被覆剤の作製時にアンモニア水を添加し、水性被覆剤のＰＨが９．０〜１１．０の範囲に入るよう調整することがより好ましい。
【００３０】
本発明で用いる中和カルボキシル基含有ビニル系重合体（Ａ′）とビニル系重合体（Ｂ）から構成される複合重合体粒子（Ｃ）の水性分散体は、中和カルボキシル基含有ビニル系重合体（Ａ′）の水性分散体の存在下で、ビニル系単量体（ｂ）を重合して得られるが、この際に用いるビニル系単量体（ｂ）は、特に制限されることなく、ラジカル重合反応可能なビニル系単量体であれば如何なるものでも用いることができる。前記ビニル系単量体（ｂ）としては、前記ビニル系単量体（ａ）に含有されるカルボキシル基含有ビニル系単量体（ａ−１）およびその他のビニル系単量体（ａ−２）が、いずれも使用可能である。
【００３１】
前記ビニル系単量体（ｂ）を重合する際には、耐水性をはじめとする耐久性に優れる水性被覆剤が得られることから、カルボキシル基と反応性を有する官能基を有するビニル系単量体（ｂ−１）を、これ以外のビニル系単量体と併用することが好ましい。ここでいうビニル系単量体（ｂ−１）は、カルボキシル基と反応性を有する官能基を有するビニル系単量体であれば、特に限定はなくいかなるものでも用いることができ、その具体例を挙げるとすると、グリシジル（メタ）アクリレート、アリルグリシジルエーテル等のグリシジル基含有ビニル系単量体；２−ヒドロキシエチル（メタ）アクリレート、２−ヒドロキシプロピル（メタ）アクリレート、ポリエチレングリコールモノ（メタ）アクリレート、グリセロールモノ（メタ）アクリレート等の水酸基含有ビニル系単量体；アミノエチル（メタ）アクリレート、Ｎ−モノアルキルアミノアルキル（メタ）アクリレート、Ｎ,Ｎ−ジアルキルアミノアルキル（メタ）アクリレート等のアミノ基含有ビニル系単量体；Ｎ−メチロール（メタ）アクリルアミド、Ｎ−イソプロポキシメチル（メタ）アクリルアミド、Ｎ−ブトキシメチル（メタ）アクリルアミド、Ｎ−イソブトキシメチル（メタ）アクリルアミド等のメチロールアミド基およびそのアルコキシ化物含有ビニル系単量体；２−アジリジニルエチル（メタ）アクリレート等のアジリジニル基含有ビニル系単量体；（メタ）アクリロイルイソシアナート、（メタ）アクリロイルイソシアナートエチルのフェノール付加物等のシソシアナート基および／またはブロック化イソシアナート基含有ビニル系単量体；２−イソプロペニル−２−オキサゾリン、２−ビニル−２−オキサゾリン等のオキサゾリン基含有ビニル系単量体等を挙げることができ、これらの１種または２種以上併用して用いることができる。この中でも、重合安定性に優れ、耐久性の良好な水性被覆剤が得られることから、グリシジル基含有ビニル系単量体、メチロールアミド基およびそのアルコキシ化物含有ビニル系単量体が好ましい。
【００３２】
前記カルボキシル基と反応性を有する官能基を有するビニル系単量体（ｂ−１）の使用量は、特に限定されるものではないが、重合安定性に優れ、耐久性の良好な水性被覆剤が得られることから、ビニル系単量体（ｂ）１００重量部当たり、０．１〜１０重量部とすることが好ましい。
【００３３】
ビニル系単量体（ｂ）の重合の際には、乳化剤は用いないことが最も好ましい。しかし、重合安定性等の観点よりやむを得ない場合は、用いることができる。この際の使用量は必要最小限にとどめることが好ましい。
【００３４】
ここで使用することができる乳化剤には特に制限はなく、乳化重合に使用できるものであれば如何なるものでも用いることができ、前述したものが具体例として挙げることができる。勿論、これら具体例に制限されるものではなく、乳化重合に使用できるものであれば如何なるものでも使用可能である。また、乳化重合の方法についても特に制限はなく、一般的に行われている方法、例えば前述した方法で行うことができる。
【００３５】
本発明で用いるカルボキシル基含有ビニル系重合体（Ａ）とビニル系重合体（Ｂ）の重量比（Ａ／Ｂ）に特に制限はなく、任意の比率で構成させることができる。しかし、速乾性と低温造膜性のバランスに優れる水性被覆剤が得られることから、カルボキシル基含有ビニル系重合体（Ａ）とビニル系重合体（Ｂ）の重量比（Ａ／Ｂ）が、２０／８０〜８０／２０となる範囲で用いることが好ましく、なかでも貯蔵安定性に優れるに優れる水性被覆剤が得られることから、４０／６０〜８０／２０となる範囲で用いることが特に好ましい。
【００３６】
更に、カルボキシル基含有ビニル系重合体（Ａ）とビニル系重合体（Ｂ）の組み合わせとしては、速乾性と低温造膜性のバランスに優れる水性被覆剤が得られることから、カルボキシル基含有ビニル系重合体（Ａ）として、ガラス転移温度（Ｔｇａ）が０〜４５℃の重合体を用い、且つ、ビニル系単量体（ｂ）を重合してなるビニル系重合体（Ｂ）として、ガラス転移温度（Ｔｇｂ）が２０〜７０℃の重合体を用いた組み合わせであることが好ましく、更に、カルボキシル基含有ビニル系重合体（Ａ）として、ガラス転移温度（Ｔｇａ）が１２〜３３℃の重合体を用い、且つ、ビニル系単量体（ｂ）を重合してなるビニル系重合体（Ｂ）として、ガラス転移温度（Ｔｇｂ）が２３〜４０℃の重合体を用いた組み合わせであることが特に好ましい。
【００３７】
前記カルボキシル基含有ビニル系重合体（Ａ）のガラス転移温度（Ｔｇａ）や、ビニル系重合体（Ｂ）のガラス転移温度（Ｔｇｂ）は、下記に示すフォックス式にて計算したものであり、計算に用いたホモポリマーのＴｇ値は下記に示した値を用いた。下記に記載のないもののＴｇ値は一般的に文献に記載されている値を用いればよい。更に、ホモポリマーのＴｇ値は、示差走査式熱量測定法を用いて測定することによっても求めることができる。
【００３８】
１／Ｔｇ＝Σ（Ｗｎ／Ｔｇｎ）
Ｔｇ  ：重合体の計算ガラス転移温度（絶対温度）
Ｗｎ  ：単量体ｎの重量分率（％）
Ｔｇｎ：単量体ｎのホモポリマーのガラス転移温度（絶対温度）
【００３９】
ホモポリマーのＴｇ値（Ｔｇｎ）
アクリル酸２−エチルヘキシル（２ＥＨＡ）のホモポリマー：−５５．３℃
アクリル酸ブチル（ＢＡ）のホモポリマー：−４５．４℃
メタクリル酸メチル（ＭＭＡ）のホモポリマー：１０４．２℃
スチレン（Ｓｔ）のホモポリマー：１００℃
アクリロニトリル（ＡＮ）のホモポリマー：９５．９℃
メタクリル酸（ＭＡＡ）のホモポリマー：１４３．５℃
アクリル酸（ＡＡ）のホモポリマー：８６．６℃
メタクリル酸グリシジル（ＧＭＡ）のホモポリマー：４６．３℃
【００４０】
本発明で使用するアミノ基を含有する有機化合物（Ｄ）としては、その構造が制限されるものではなく、いずれのアミノ基含有有機化合物でも用いることができる。アミノ基含有有機化合物（Ｄ）としては、重合体ではない化合物（Ｄ−１）と重合体である（Ｄ−２）とあるが、貯蔵安定性に優れる水性被覆剤が得られることから、重合体ではないアミノ基含有有機化合物（Ｄ−１）が好ましい。
【００４１】
前記重合体ではないアミノ基含有有機化合物（Ｄ−１）は、特に親水性基としてアミノ基のみを含む、即ちアルコール性水酸基等の親水性基を含まないものが好ましく、なかでも貯蔵安定性と速乾燥性のバランスが優れた水性被覆剤が得られることから、分子量が３００以下のものがより好ましく、分子量が１５０以下であるものが最も好ましい。重合体ではないアミノ基含有有機化合物（Ｄ−１）の使用量は、貯蔵安定性と速乾燥性の優れた水性被覆剤が得られることから、前記複合重合体粒子（Ｃ）１００重量部当たり、０．０１〜１０重量部が好ましく、０．１〜３重量部がより好ましい。
【００４２】
前記重合体ではないアミノ基含有有機化合物（Ｄ−１）の具体例としては、メチルアミン、エチルアミン、プロピルアミン、ブチルアミン、ヘキシルアミン、シクロヘキシルアミン、アニリン、トルイジンなどの１級アミン；トリエチルアミン、トリプロピルアミン、ジブチルアミン、ジエチルアミン、ジプロピルアミン、等の２級または３級アミン；エチレンジアミン、テトラメチルヘキサンジアミン、イソホロンジアミン、トリメチルヘキサメチレンジアミン、ヘキサンジアミン、ジエチレントリアミン、ジメチルアミノプロピルアミン、テトラエチレンペンタミン等のポリアミン類等を挙げることができる。
【００４３】
本発明の速乾型水性被覆剤は、顔料（Ｅ）を含有させることができるが、その使用量としては、使用用途にあわせ幅広い範囲で含有させることが可能であり、具体的には、複合重合体粒子（Ｃ）１００重量部当たり、顔料（Ｅ）を０．５〜２０００重量部の範囲で用いることが好ましい。
【００４４】
ここで言う顔料（Ｅ）としては、例えば、酸化チタン、炭酸カルシウム、タルク、クレー、マイカ、ケイ砂、ベンガラ、カーボンブラック、フタロシアニンブルー等一般的に用いられている顔料類、充填剤、また着色顔料等が挙げられる。
【００４５】
また、本発明の速乾型水性被覆剤は、必要に応じて、骨材、造膜助剤、凍結防止剤、分散剤、湿潤剤、増粘剤、レオロジーコントロール剤、消泡剤、防腐剤、防バイ剤、ｐＨ調整剤、防錆剤、紫外線吸収剤、酸化防止剤、架橋剤等を配合することも可能である。さらに、乾燥性をより向上させる為、アルコール類、例えばメタノール、エタノール等を添加することも可能であるが、ＶＯＣ削減の観点から添加する場合は必要最小限にとどめる必要がある。
【００４６】
また、本発明の水性被覆剤は、速乾性を向上させることができることから、水酸化カルシウム、水酸化バリウム、酸化亜鉛などの金属化合物を併用することにより、速乾性を向上させることも可能である。
【００４７】
本発明の速乾型水性被覆剤は、例えば以下の方法で製造することができる。
即ち、中和カルボキシル基含有ビニル系重合体（Ａ′）とビニル系重合体（Ｂ）から構成される複合重合体粒子（Ｃ）の水性分散体と、アミノ基を含有する有機化合物（Ｄ）を予め混合したバインダー成分に、酸化チタン、炭酸カルシウムなどの顔料（Ｅ）、必要に応じて分散剤、湿潤剤、増粘剤、造膜助剤、防腐剤、消泡剤、凍結防止剤等を添加し、分散を行う、いわゆるドライブレンド方式で速乾型水性被覆剤を得ることができる。
【００４８】
また、予め炭酸カルシウム、酸化チタンなどの顔料（Ｅ）を分散剤等を用いて水中に微分散させてミルベースを作製し、このものに中和カルボキシル基含有ビニル系重合体（Ａ′）とビニル系重合体（Ｂ）から構成される複合重合体粒子（Ｃ）の水性分散体と、アミノ基を含有する有機化合物（Ｄ）を予め混合したバインダー成分を加えてレットダウンし、必要に応じて増粘剤、防腐剤、造膜助剤等の添加剤を加えることにより作製する、いわゆるミルベース方式でも速乾型水性被覆剤を作製することもできる。
【００４９】
本発明の速乾型水性被覆剤は、無機系基材、有機系基材、金属基材など各種基材に適用可能な被覆剤であり、また塗装方法も特に限定されるものではなく、各種の塗装方法を用いることが可能である。
【００５０】
とくに、本発明の速乾型水性被覆剤は、複層弾性塗料の中塗り、トップコート、単層弾性塗料、屋根用防水塗料、床用塗料、その他各種内外装建築塗料として、また、路面標示用塗料等として幅広い用途に適用することができる。
【実施例】
【００５１】
以下に実施例および比較例を挙げて、本発明を更に具体的に説明するが、本発明は以下の実施例のみに制限されるものではない。なお、以下の「部」及び「％」はいずれも重量基準である。
【００５２】
製造例１
アクリル酸ブチル（以後、ＢＡと略す。）１２３部、メタクリル酸メチル（以後、ＭＭＡと略す。）１６５部およびメタクリル酸（以後、ＭＡＡと略す。）１２部を、アクアロンＫＨ−１０２５〔第一工業製薬(株)製アニオン性反応性乳化剤；有効成分２５％〕１８部とラウリルメルカプタン（以後、ＬＳＨと略す。）１２部をイオン交換水７３部に溶解させた乳化剤水溶液中に分散させることにより、モノマーエマルジョン（Ｅ１）を作製した。また、ＢＡ１２１部、ＭＭＡ１７７部およびメタクリル酸グリシジル（以後、ＧＭＡと略す。）１．５部を混合することにより、モノマー混合液（Ｍ１）を作製した。さらに、過硫酸カリウム２．３部をイオン交換水６６部に溶解させることにより、重合開始剤水溶液を作製した。
【００５３】
撹拌機、温度計および冷却器を取り付けた１リットル反応容器に、イオン交換水３００部を仕込み、窒素ガスを送入しつつ撹拌しながら反応容器内を８０℃に昇温した。昇温後、モノマーエマルジョン（Ｅ１）と重合開始剤水溶液のそれぞれを反応容器内に滴下投入して乳化重合を開始させた。滴下時間はモノマーエマルジョン（Ｅ１）が２時間、重合開始剤水溶液が４．５時間であり、２時間後のモノマーエマルジョン（Ｅ１）の滴下の終了により、カルボキシル基含有ビニル系重合体（Ａ１）の水性分散体を得た。６．２５％アンモニア水６５部を用いて中和を行い、中和カルボキシル基含有ビニル系重合体（Ａ１′）を得た後、モノマー混合液（Ｍ１）の滴下を始めて、ビニル系重合体（Ｂ１）の合成を開始させた。モノマー混合液（Ｍ１）の滴下時間は２時間とした。滴下中、反応容器内は８０℃に保持した。重合開始剤水溶液の滴下終了後、更に２時間８０℃で保持して、中和カルボキシル基含有ビニル系重合体（Ａ１′）とビニル系重合体（Ｂ１）から構成される複合重合体粒子（Ｃ１）が分散された水性分散体を得た後、冷却し、ｐＨを１４％アンモニア水を用いて調整し、不揮発分濃度をイオン交換水を用いて調整した後に取り出し、複合重合体粒子（Ｃ１）の水性分散体（Ｐ１）を得た。得られた複合重合体粒子（Ｃ１）の水性分散体は不揮発分４９．２％、粘度１５０ｍＰａ・ｓ、ｐＨ９．９であった。第１表にカルボキシル基含有ビニル系重合体（Ａ１）とビニル系重合体（Ｂ１）と複合重合体粒子（Ｃ１）のガラス転移温度（計算値）、および、カルボキシル基含有ビニル系重合体（Ａ１）とビニル系重合体（Ｂ１）の重量比（Ａ／Ｂ）を示す。また、第２表に複合重合体粒子（Ｃ１）の水性分散体の不揮発分濃度、粘度（Ｂ型粘度計による）、ｐＨ、重合体粒子（Ｃ）のガラス転移温度（計算値）、最低造膜温度（ＭＦＴ）を示す。
【００５４】
なお、最低造膜温度（ＭＦＴ）は、テスター産業(株)製最低造膜温度測定器（形式ＴＰ−８０５）を用いて測定した（以下、同様。）。
【００５５】
製造例２〜７
下記第１表〜第２表に記載した原料を用いた以外は製造例１と同様にして、中和カルボキシル基含有ビニル系重合体（Ａ２′）〜（Ａ７′）とビニル系重合体（Ｂ２）〜（Ｂ７）から構成される複合重合体粒子（Ｃ２）〜（Ｃ７）の水性分散体（Ｐ２）〜（Ｐ７）を得た。第１表にカルボキシル基含有ビニル系重合体（Ａ２）〜（Ａ７）とビニル系重合体（Ｂ２）〜（Ｂ７）と複合重合体粒子（Ｃ２）〜（Ｃ７）のガラス転移温度（計算値）を示す。また、第２表に複合重合体粒子（Ｃ１）の水性分散体の不揮発分濃度、粘度（Ｂ型粘度計による）、ｐＨ、複合重合体粒子のガラス転移温度（計算値）、最低造膜温度（ＭＦＴ）を示す。
【００５６】
製造例８
ＢＡ２４０部、ＭＭＡ３５４部、ＡＡ６部およびＬＳＨ１．２部を、ニューコール７０７ＳＦ〔日本乳化剤(株)製アニオン乳化剤；ポリオキシエチレン多環フェニルエーテル硫酸エステル塩；有効成分３０％〕（以後、７０７ＳＦと略す。）３部とエマール１０〔花王(株)製アニオン乳化剤；ラウリル硫酸ナトリウム〕（以後、Ｅｍａｌ１０と略す。）６部をイオン交換水１０２部に溶解した乳化剤水溶液中に分散させ、モノマーエマルジョン（Ｅ８）を得た。また、過硫酸カリウム０．９部をイオン交換水６０部中に溶解し、重合開始剤水溶液を得た。
【００５７】
攪拌機、温度計および冷却器を取り付けた１リットル反応容器に、イオン交換水３００部を仕込み、窒素ガスを送入しつつ攪拌しながら反応容器内を８０℃に昇温した。昇温後、モノマーエマルジョン（Ｅ８）と重合開始剤水溶液のそれぞれを反応容器内に滴下投入して乳化重合を開始させた。滴下時間はモノマーエマルジョン（Ｅ８）が３時間、重合開始剤水溶液が３．５時間であり、滴下反応中、反応容器内を８０℃に保持しつつ攪拌を継続した。重合開始剤水溶液の滴下終了後、更に２時間攪拌しながら反応容器内を８０℃に保持して、カルボキシル基含有ビニル系重合体（Ａ８）を得た。その後冷却し、１４％アンモニア水でｐＨを７．０に調整し、中和カルボキシル基含有ビニル系重合体（Ａ８′）の水性分散体を得、イオン交換水を投入して不揮発分濃度を調整した後に取り出し、中和カルボキシル基含有ビニル系重合体（Ａ８′）の水性分散体（Ｐ８）を得た。得られた中和カルボキシル基含有ビニル系重合体の水性分散体（Ｐ８）は、不揮発分濃度５０．０％、粘度４２ｍＰａ・ｓ、ｐＨ７．２であった。第３表にモノマーエマルジョン（Ｅ８）の組成と、カルボキシル基含有ビニル系重合体（Ａ８）のガラス転移温度（計算値）を示す。第４表に中和カルボキシル基含有ビニル系重合体の水性分散体（Ｐ８）の不揮発分濃度、粘度（Ｂ型粘度計による）、ｐＨ、カルボキシル基含有ビニル系重合体（Ａ８）の計算Ｔｇ、最低造膜温度（ＭＦＴ）を示す。
【００５８】
【表１】
2008056732.tif 000002
【００５９】
【表２】
2008056732.tif 000003
【００６０】
【表３】
2008056732.tif 000004
【００６１】
【表４】
2008056732.tif 000005
【００６２】
実施例１〜７および比較例１
製造例１〜８で得た水性分散体（Ｐ１）〜（Ｐ８）のそれぞれ１００部と、５０％エチレンジアミン水溶液（以後、５０％ＥＤＡ水溶液と略す。）１．０部を、攪拌機を取り付けたビーカー中に投入し、１０分間攪拌して、水性組成物（Ｐ１′）〜（Ｐ８′）を得た。
【００６３】
次いで、得られた水性組成物（Ｐ１′）〜（Ｐ８′）と、下記第５表に記載した各原料を、第５表に示す配合組成で、オートホモミキサー〔特殊機化(株)製モデルＳＬ〕に投入し、２，０００ｒｐｍ、２分間の条件で混合分散させて、実施例１〜７の水性被覆剤（Ｍ１）〜（Ｍ７）及び比較例１の水性被覆剤（Ｍ８）を得た。
【００６４】
得られた水性被覆剤（Ｍ１）〜（Ｍ８）をそれぞれ用いて、以下に示す方法で速乾性（タイヤ付着性）と低温造膜性の評価を以下のように行なった。その結果を第６表に示す。
【００６５】
速乾性（タイヤ付着性）：温度２３℃、湿度５０％ＲＨの環境試験室にて、水性被覆剤（Ｍ１）〜（Ｍ８）のそれぞれをガラス板に１０ミルアプリケーターで塗布し、１０分後、塗膜上にＪＩＳ−Ｋ−５６６５のタイヤ付着性試験用ローラーを転がし、塗膜の表面状態とゴム製ローラーへの水性被覆剤の付着状態を目視確認し、下記の評価基準で評価した。
評価基準
◎：塗膜に状態変化がなく、ゴム製ローラーに水性被覆剤が付着していない状態。
○：少し塗膜に跡がつくが、ゴム製ローラーには水性被覆剤が付着していない状態。
△：塗膜に跡がつき、少し水性被覆剤がゴム製ローラーに付着した状態。
×：ゴム製ローラーに水性被覆剤が大量に付着した状態。
【００６６】
低温造膜性：温度０℃の環境試験室にて、水性被覆剤（Ｍ１）〜（Ｍ８）のそれぞれをスレート板に１０ミルアプリケーターで塗布した直後の塗膜上に、スパチュラ１杯分の水性被覆剤（Ｍ１）〜（Ｍ８）のそれぞれを載せて厚膜部分を作成し、１２時間後に厚膜部分の塗膜状態を目視確認し、下記の評価基準で評価した。
評価基準
◎：ひび割れなく、造膜している状態。
○：ひび割れなく、造膜やや不十分な状態。
△：ひび割れがあり、造膜不十分な状態。
×：ひび割れが多く、全く造膜しない状態。
【００６７】
比較例２
水性被覆剤（Ｍ２）の代わりに製造例２で得た水性分散体（Ｐ２）を用いた以外は実施例２と同様にして水性被覆剤（Ｍ９）を得、得られた水性被覆剤（Ｍ９）を用いて実施例２と同様にして速乾性（タイヤ付着性）と低温造膜性の評価を行なった。その結果を第６表に示す。
【００６８】
【表５】
2008056732.tif 000006
【００６９】
第５表の脚注
*1)ＳＮディスパーサント５０２９：サンノプコ(株)製分散剤
*2)ＳＮデフォーマー３２５：サンノプコ(株)製消泡剤
*3)３．２％セロサイズＱＰ−４４００Ｈ：ダウケミカル社製増粘剤
*4)酸化チタンＲ−６３０：石原産業(株)製酸化チタン
*5)炭カルＮＳ＃１００：日東粉化工業(株)製炭酸カルシウム
*6)テキサノール：イーストマンケミカル社製造膜助剤
【００７０】
【表６】
2008056732.tif 000007